(57)【要約】【課題】少ない部品点数で、簡易な構造により拡散パネルを取り付けることができるＬＥＤ照明器具を提供する。【解決手段】ＬＥＤユニットを有する発光部２１を収容した器具本体２０と、被取付部１１に取り付けられる枠体３０とは、連結部材４０で連結される。枠体３０に支持される反射部材５０は、発光部２１から所定寸法離間して配置される入射開口５２および出射開口５１を有しており、入射開口５２に拡散パネル６０が取り付けられる。拡散パネル６０は、保持部材６２Ａにより、入射開口５２に接した状態で保持される。このため、入射開口５２の縁部が拡散パネル６０を保持する保持構造の一部となるので、従来と比較して、部品点数を減少させ、簡易な構造により拡散パネル６０を取り付けることができる。【選択図】図２
2014078375.tif 000002
【特許請求の範囲】
【請求項１】
器具本体と、
前記器具本体に収容されＬＥＤユニットを有する発光部と、
被取付部に取り付けられる枠体と、
前記器具本体および前記枠体を連結する連結部材と、
前記枠体に支持され、入射開口および出射開口を有するとともに、前記発光部から前記入射開口が所定寸法離間されて配置された略半球形状の反射部材と、
前記入射開口に取り付けられる拡散パネルと、
前記拡散パネルを前記入射開口に接した状態で保持する保持部材と、を備えるＬＥＤ照明器具。
【請求項２】
請求項１に記載のＬＥＤ照明器具において、
前記反射部材に、固定部材を介して取り付けられたキックバネを有し、
前記保持部材が前記固定部材により固定されているＬＥＤ照明器具。
【請求項３】
請求項１または請求項２に記載のＬＥＤ照明器具において、
前記保持部材は、前記拡散パネルの縁部が挿入されるとともに前記拡散パネルを厚み方向に挟持する切欠部を有するＬＥＤ照明器具。
【発明の詳細な説明】
【技術分野】
【０００１】
本発明は、発光部の前方に配光を調整する拡散パネルを有するＬＥＤ照明器具に関するものである。
【背景技術】
【０００２】
従来、発光部の前方に拡散パネルを有する照明器具が知られている（例えば、特許文献１参照）。
図７に示すように、特許文献１に記載の照明器具１００は、天井等に形成した取付孔１０１内に取り付けて使用するダウンライトであり、ダウンライト本体１０２と、このダウンライト本体１０２を取付孔１０１に取り付けるための取付具１０３を有する。
ダウンライト本体１０２は、基本構成ユニット１０４を有する。基本構成ユニット１０４は、反射体１０５、ソケット１０６及びソケット１０６に取り付けられる光源であるランプ１０７を有する。
基本構成ユニット１０４の前側には、アダプタ１０８を介してコーン１０９が取り付けられる。
また、ランプ１０７の前方には、拡散パネル等のレンズ１１０が取り付けられる。
【先行技術文献】
【特許文献】
【０００３】
【特許文献１】特開２００８−３４１８５号公報（第２図）
【発明の概要】
【発明が解決しようとする課題】
【０００４】
ところで、光源としてＬＥＤユニットを用いたＬＥＤ照明器具においては、ＬＥＤユニットが発する熱のため、強化ガラスを用いた拡散パネルを採用するのが一般的である。
しかしながら、このような拡散パネルを用いる構造においては、部品点数が多く、構造が複雑になるとともに、製造コストが高いという問題があった。
【０００５】
本発明は、従来の問題を解決するためになされたもので、少ない部品点数で、簡易な構造により拡散パネルを取り付けることができるＬＥＤ照明器具を提供することを目的とする。
【課題を解決するための手段】
【０００６】
本発明のＬＥＤ照明器具は、器具本体と、前記器具本体に収容されＬＥＤユニットを有する発光部と、被取付部に取り付けられる枠体と、前記器具本体および前記枠体を連結する連結部材と、前記枠体に支持され、入射開口および出射開口を有するとともに、前記発光部から前記入射開口が所定寸法離間されて配置された略半球形状の反射部材と、前記入射開口に取り付けられる拡散パネルと、前記拡散パネルを前記入射開口に接した状態で保持する保持部材と、を備えるものである。
【０００７】
また、本発明のＬＥＤ照明器具は、前記反射部材に、固定部材を介して取り付けられたキックバネを有し、前記保持部材が前記固定部材により固定されているものである。
【０００８】
さらに、本発明のＬＥＤ照明器具は、前記保持部材は、前記拡散パネルの縁部が挿入されるとともに前記拡散パネルを厚み方向に挟持する切欠部を有するものである。
【発明の効果】
【０００９】
本発明は、反射部材の入射開口に取り付けられる拡散パネルは、保持部材により入射開口に接した状態で保持される。このため、入射開口の縁部が拡散パネルを保持する保持構造の一部となるので、従来と比較して、部品点数を減少させ、簡易な構造により拡散パネルを取り付けることができるという効果を有するＬＥＤ照明器具を提供できる。
【図面の簡単な説明】
【００１０】
【図１】本発明に係る第１実施形態のＬＥＤ照明器具の斜視図
【図２】本発明に係る第１実施形態のＬＥＤ照明器具における反射部材と保持部材の分解斜視図
【図３】本発明に係る第２実施形態のＬＥＤ照明器具の斜視図
【図４】本発明に係る第２実施形態のＬＥＤ照明器具の分解斜視図
【図５】本発明に係る第３実施形態のＬＥＤ照明器具を前方から見た斜視図
【図６】本発明に係る第３実施形態のＬＥＤ照明器具を後方から見た斜視図
【図７】従来の照明器具の断面図
【発明を実施するための形態】
【００１１】
（第１実施形態）
以下、本発明に係る第１実施形態のＬＥＤ照明器具について、図面を用いて説明する。
図１に示すように、本発明に係る実施形態のＬＥＤ照明器具１０Ａは、被取付部としての例えば天井面１１に設けられた取付孔（図示省略）に取り付けて、主に下方を照明するダウンライトとすることができる。
なお、以下の説明において、光照射方向を下方（下側）と云い、光照射方向と反対側を上方（上側）と云うこととする。
【００１２】
ＬＥＤ照明器具１０Ａは、円柱形状の器具本体２０を有する。器具本体２０の下面には、ＬＥＤユニット（図示省略）を有する発光部２１が収容され、器具本体２０の上面には、発光部２１が発した熱を放出する放熱フィン２２が設けられている。
【００１３】
器具本体２０の下側には、天井面１１の取付孔に固定される枠体３０が設けられている。枠体３０は、上部に円環板状の上取付板３１を有し、下部には円環板状の鍔部３２を有する。
上取付板３１と鍔部３２とは、縦板３３により、所定間隔で互いに平行に対向して連結される。
鍔部３２は、枠体３０を天井面１１の取付孔に取り付けた際に、天井面１１の下面に当接して、下方に露出する。
【００１４】
縦板３３は、上取付板３１および鍔部３２の全周を覆う必要はなく、少なくとも２カ所設ければ良い。なお、縦板３３は、折曲げ加工により鍔部３２と一体で設けることができる。
各縦板３３には切欠き３３１が上下方向に沿って設けられており、取付ばね３５が上下移動可能、かつ、常時下方へ付勢されて設けられている。
従って、取付ばね３５と鍔部３２の上面との間に天井面１１を挟持することにより、枠体３０は天井面１１に取り付けられる。
【００１５】
上取付板３１は円環板状を呈しており、縦板３３の上端に、例えば、ねじ３４により取り付けられる。
上取付板３１の内周側において、上取付板３１の中心に対して対称位置、例えば、一対の縦板３３、３３の中間位置に、一対のブラケット３６が下方に突出して設けられている。各ブラケット３６には、上部に軸孔３６１が設けられている。また、少なくとも一方のブラケット３６は扇形状を呈しており、そのブラケット３６の下部には軸孔３６１を中心とした円弧状の切欠き３６２が設けられている。
【００１６】
上取付板３１の例えば縦板３３が取り付けられている位置の内周側には、板状のバネ受け３７が内側に向かって水平に突出して設けられている。
バネ受け３７には、上取付板３１の内側に開口した全体Ｔ字形状の係止切欠き３７１が設けられている。
【００１７】
器具本体２０と枠体３０とは、一対の連結部材４０により連結される。
連結部材４０は、上下方向に長い板状部材であり、上下方向の中央部には略水平な段部４１を有する。段部４１の外側端は上方に折曲げられて、連結上部４２が設けられ、段部４１の内側端は下方に折曲げられて、連結下部４３が設けられている。
連結上部４２の上端は内側に折曲げられて係止部４２１が設けられている。係止部４２１は、器具本体２０の上面２３に当接して位置決めする。連結上部４２における係止部４２１の下側には、ねじ４４用の貫通孔４５を有する。
従って、係止部４２１を器具本体２０の上面２３に当接させ、ねじ４４を貫通孔４５に通してねじ止めすることにより、器具本体２０を連結部材４０の上部に取り付ける。
【００１８】
各連結部材４０の連結下部４３には、上部に軸孔４６が設けられており、回動軸４７によって枠体３０のブラケット３６の軸孔３６１に、回動可能に支持されている。
また、少なくとも一方の連結部材４０では、連結下部４３における軸孔４６の下方には、枠体３０に対して連結部材４０を回動させて、所定位置で固定するための固定ねじ４８が設けられている。
従って、連結部材４０を回動軸４７回りに回動させて、固定ねじ４８を締め付けることにより、連結部材４０に支持された器具本体２０を、枠体３０に対して所望の角度で固定することができる。
【００１９】
枠体３０における上取付板３１と鍔部３２との間には、反射部材５０が支持されている。
図２に示すように、反射部材５０は、略半球形状を呈しており、下部に出射開口５１を有するとともに、上部に入射開口５２を有する。入射開口５２は、出射開口５１に対して傾いて設けられている。
出射開口５１の周囲には、外側に突出する支持面５１１が設けられており、枠体３０の鍔部３２の上面に当接して支持される。
入射開口５２は、発光部２１から所定寸法離間されて配置されており、入射開口５２には、拡散パネル６０が取り付けられる。円板状の拡散パネル６０の外周には、パネルリング６１が取り付けられている。反射部材５０における入射開口５２の下側には、取付孔５３が設けられている。
【００２０】
拡散パネル６０は、保持部材６２Ａにより入射開口５２に接触するように位置決めされる。
保持部材６２Ａは、ベース部６３と、ベース部６３から左右両側に延びる一対のアーム部６４、６４を有する。ベース部６３は板状部材であり、中央に取付孔６３１を有する。また、アーム部６４は、細幅の板状部材であり、一方のアーム部６４は複数箇所で折曲げて、反射部材５０の外面に当接可能にしている。アーム部６４は、長手方向に沿って開口６４２が設けられており、軽量化を図っている。
一方のアーム部６４の先端には、拡散パネル６０のパネルリング６１が取り付けられる。また、他方のアーム部６４の他端には、先端に切欠部６４１が設けられており、パネルリング６１が挿嵌されて拡散パネル６０を厚み方向に挟持する。
【００２１】
ベース部６３には、キックバネ６５が取り付けられる。キックバネ６５は、中央の巻回部６５２から左右両側に延びる一対のアーム６５１を有する。一対のアーム６５１は、互いに離反する方向に付勢される。
キックバネ６５の巻回部６５２は、リベット（固定部材）６６よってベース部６３に取り付けられる。ベース部６３は、リベット６６によって反射部材５０の取付孔５３に取り付けられ、反射部材５０の内面（すなわち、反射面）に先端が突出しないようにしている。
すなわち、ベース部６３およびキックバネ６５は、同じリベット６６によって反射部材５０に取り付けられる。
【００２２】
図１に示すように、キックバネ６５のアーム６５１は、互いに反する方向に拡がることにより、枠体３０の上取付板３１に設けられているバネ受け３７の係止切欠き３７１に係止される。これにより、反射部材５０は、鍔部３２の上面に取り付けられる。
なお、キックバネ６５のアーム６５１を互いに近づけることにより、キックバネ６５をバネ受け３７の係止切欠き３７１から外すことができる。これにより、反射部材５０を、鍔部３２から外すことができる。
【００２３】
本発明にかかる実施形態のＬＥＤ照明器具１０Ａの作用効果について説明する。
枠体３０に支持される反射部材５０は、発光部２１から所定寸法離間して配置される入射開口５２および出射開口５１を有しており、入射開口５２には拡散パネル６０が取り付けられる。
従って、発光部２１から光は、拡散パネル６０を通って入射開口５２に入射され、反射部材５０を介して出射開口５１から下方に照射される。
また、拡散パネル６０は、保持部材６２Ａにより、反射部材５０の入射開口５２に接した状態で保持される。
このため、入射開口５２の縁部が拡散パネル６０を保持する保持構造の一部となるので、従来と比較して、部品点数を減少させ、簡易な構造により拡散パネル６０を取り付けることができる。
【００２４】
保持部材６２Ａは、キックバネ６５を反射部材５０に取り付けているリベット６６により反射部材５０に取り付けられているので、リベット６６を共用する。
これにより、取付けのための部品点数を減少させることができる。
【００２５】
保持部材６２Ａに、拡散パネル６０の縁部を挿入して拡散パネル６０を厚み方向に挟持する切欠部６４１を設けたので、別途部品を設けることなく拡散パネル６０を確実に保持することができる。
【００２６】
（第２実施形態）
次に、本発明に係る第２実施形態のＬＥＤ照明器具について説明する。
なお、前述した第１実施形態のＬＥＤ照明器具１０Ａと共通する部位には同じ符号を付して、重複する説明を省略することとする。
図３および図４に示すように、第２実施形態のＬＥＤ照明器具１０Ｂでは、保持部材６２Ｂは、ベース部６３の左右両側に対向する一対のアーム６７、６７を有する。
従って、拡散パネル６０は、一対のアーム６７、６７の先端により両側から保持されて、反射部材５０の入射開口５２に押し付けて位置決めされる。
【００２７】
このように構成しても、前述した第１実施形態のＬＥＤ照明器具１０Ａと同様の作用および効果を得ることができ、従来と比較して、部品点数を減少させ、簡易な構造により拡散パネル６０を取り付けることができる。
【００２８】
（第３実施形態）
次に、本発明に係る第３実施形態のＬＥＤ照明器具について説明する。
なお、前述した第１実施形態のＬＥＤ照明器具１０Ａおよび第２実施形態のＬＥＤ照明器具１０Ｂと共通する部位には同じ符号を付して、重複する説明を省略することとする。
図５および図６に示すように、第３実施形態のＬＥＤ照明器具１０Ｃでは、保持部材６２Ｃは、ベース部６３の左右いずれか一方の側にのみアーム６８を有する。
従って、拡散パネル６０は、一本のアーム６８の先端により保持されて、反射部材５０の入射開口５２に押し付けて位置決めされる。
【００２９】
このように構成しても、前述した第１実施形態のＬＥＤ照明器具１０Ａおよび第２実施形態のＬＥＤ照明器具１０Ｂと同様の作用および効果を得ることができ、従来と比較して、部品点数を減少させ、簡易な構造により拡散パネル６０を取り付けることができる。
【００３０】
本発明のＬＥＤ照明器具は、前述した各実施形態に限定されるものでなく、適宜な変形、改良等が可能である。
【符号の説明】
【００３１】
１０Ａ、１０Ｂ、１０Ｃ  ＬＥＤ照明器具
１１  天井面（被取付部）
２０  器具本体
２１  発光部
３０  枠体
４０  連結部材
５０  反射部材
５１  出射開口
５２  入射開口
６０  拡散パネル
６２Ａ、６２Ｂ、６２Ｃ  保持部材
６４１  切欠部
６５  キックバネ
６６  リベット（固定部材）
【図１】
2014078375.tif 000003
【図２】
2014078375.tif 000004
【図３】
2014078375.tif 000005
【図４】
2014078375.tif 000006
【図５】
2014078375.tif 000007
【図６】
2014078375.tif 000008
【図７】
2014078375.tif 000009